(57)【要約】【課題】吸水性のあるタオル生地で形成された展開可能な収容具であって、製造がしやすく、比較的かさばる物を入れることができる収容力を有するとともに、収容したものが内部で偏りにくいタオルポーチを提供すること。【解決手段】  前記タオルシートの長手方向端縁を含む矩形領域を折り返すとともに前記タオルシートの残余の部分に重ね合わせて矩形のタオル体を形成し、前記タオル体を当該タオル体の長手方向中央を中心として屈曲できるように構成するとともに、当該タオル体の外周にスライダーの移動によって分離と結合を行うスライドファスナーを設け、前記長手方向中央を中心として屈曲するタオル体の両片外周を前記スライドファスナーによって分離と結合できるように構成する。【選択図】図１
2015000254.tif 000002
【特許請求の範囲】
【請求項１】
長手方向の両側縁および短手方向の両側縁にほつれを防止する縫製加工を行った長方形状のタオルシートを用いて形成したタオルポーチであって、
前記タオルシートの長手方向端縁を含む矩形領域を折り返すとともに前記タオルシートの残余の部分に重ね合わせて矩形のタオル体を形成し、
前記タオル体を当該タオル体の長手方向中央を中心として屈曲できるように構成するとともに、当該タオル体の外周にスライダーの移動によって分離と結合を行うスライドファスナーを設け、
前記長手方向中央を中心として屈曲するタオル体の両片外周を前記スライドファスナーによって分離と結合できるように構成したことを特徴とするタオルポーチ。
【請求項２】
前記タオルシートを折り返した矩形領域の先端が、前記屈曲可能に形成したタオル体の長手方向中央を超えないように形成されていることを特徴とする請求項１記載のタオルポーチ。
【発明の詳細な説明】
【技術分野】
【０００１】
本発明はタオルポーチに関するものである。
【背景技術】
【０００２】
従来、矩形に形成したタオルの外周にスライドファスナーを取り付け、当該スライドファスナーの開閉に応じて、展開して開いた状態と２つ折りに折り畳んで閉じた状態とを可逆的に形態を変化させることができるタオルポーチがある（特許文献１）。当該タオルポーチは、展開して開いた状態のときに略正方形のハンドタオルとして使用することができるとともに、化粧品その他の小物類、衛生用品等を入れる収容具としても利用することができるものである。使用しているタオルは、表面にパイルや起毛を施した吸水性のある生地を用いたものであり、収容した前記小物類を保護したり、冷えたペットボトル飲料等を収容して結露の発生を軽減したり暖めた飲料を保温することにも用いられている。
【０００３】
上記従来のタオルポーチは、日常的に使用するバッグに入れて持ち歩くことを考慮して、展開した状態の大きさが15〜25cm四方の大きさとなるように形成されている。
一方、旅行等の場合は持ち運ぶカバンも大きく下着類を運ぶことが多い。また、下着は入浴後に取り替えることが多く、浴室や脱衣所などの濡れる可能性のある場所に持ち込まれる場合が多い。また、旅行時にはヘアケア、スキンケア用品等を携帯することも多々あり、浴室や洗面所等で使用される。このような濡れる可能性のある場所で使用したり、多少濡れているものを入れる収容具には、前述したタオルポーチが適しているが、小物入れ程度の大きさでは収容容積が不足している。また、単に外形サイズを大きくするだけでは、収容容積は増すものの収容した物品が内部で偏って塊となり、柔軟な素材であるタオルで形成されたポーチがいびつな形に膨らみ見栄えが悪くなるとともに、カバンへの収容もしにくくなる。
【先行技術文献】
【特許文献】
【０００４】
【特許文献１】意匠登録第１３５８３３８号公報
【発明の概要】
【発明が解決しようとする課題】
【０００５】
本発明は上記課題に鑑み発明されたものであって、吸水性と柔軟性のあるタオル生地で形成された展開可能な収容具であって、製造がしやすく、下着などの比較的かさばる物を入れることができる収容力を有するとともに、取り出しやすく分けて収容したり収容したものが内部で偏りにくいタオルポーチを提供することを課題とするものである。
また、未使用時においてもかさばらず、かつ柔軟性を失わないタオルポーチを提供することを課題とするものである。
【課題を解決するための手段】
【０００６】
上記課題を解決するために本発明に係るタオルポーチは以下の構成を有する。すなわち、
長手方向の両側縁および短手方向の両側縁にほつれを防止する縫製加工を行った長方形状のタオルシートを用いて形成したタオルポーチであって、
前記タオルシートの長手方向端縁を含む矩形領域を折り返すとともに前記タオルシートの残余の部分に重ね合わせて矩形のタオル体を形成し、
前記タオル体を当該タオル体の長手方向中央を中心として屈曲できるように構成するとともに、当該タオル体の外周にスライダーの移動によって分離と結合を行うスライドファスナーを設け、
前記長手方向中央を中心として屈曲するタオル体の両片外周を前記スライドファスナーによって分離と結合できるように構成したことを特徴とする。
【０００７】
また本発明に係るタオルポーチは、上記構成に加え以下の構成を有する。すなわち、
前記タオルシートを折り返した矩形領域の先端が、前記屈曲可能に形成したタオル体の長手方向中央を超えないように形成されていることを特徴とする。
【発明の効果】
【０００８】
本願発明は、一枚のフェイスタオルとスライドファスナーのみによって形成されるものであり、その構造もフェイスタオルの一方端を折り返して外周にスライドファスナーを取り付けるという極めて簡単なものである。そして、当該簡単な構造であるにも関わらず、仕切りを有した収容部を設けたポーチを提供できるという効果を有している。
また、本願発明に係るポーチは、スライドファスナーの開閉によって展開状態と折りたたみ状態とを可逆的に変化させることができるようになっているが、屈曲部に厚みが生じないようになっている。このため、当該屈曲部における屈曲が円滑であるとともに、柔軟でありかさばらないという効果を有している。
【図面の簡単な説明】
【０００９】
【図１】本実施の形態に係るタオルポーチの外観斜視図である。
【図２】本実施の形態に係るタオルポーチを開いた状態の外観斜視図である。
【図３】タオルポーチに使用するタオルの元反に関する説明図である。
【図４】元反から切り出した状態のタオルポーチに使用するタオルの説明図である。
【図５】タオルポーチに使用するタオルの説明図である。
【図６】本実施の形態に係るタオルポーチの構造を表した分解斜視図である。
【発明を実施するための形態】
【００１０】
以下、本発明を実施するための形態について図を用いて説明する。図１は本実施の形態に係るタオルポーチ１の閉じた状態の外観斜視図であり、図２は同タオルポーチ１を展開した状態の外観斜視図を示している。
タオルポーチ１は、一例として幅（Ｗ）35cm、全長（Ｌ０）75cmの長方形状に形成された一枚のフェイスタオル２（図５参照、以下「タオル」という）と、当該タオル２に縫い付けたスライドファスナー３によって構成されている。
タオルポーチ１は、折り曲げ部位４を境界として本の表紙のように重合および展開する２つのタオル片５，６を有している。当該タオル片５，６の内、一方のタオル片６はタオル生地を重ね合わせた２重構造になっており、他方のタオル片５はタオル生地を重ね合わせない一重構造を有している。
【００１１】
前記タオル片５，６は、平面状に展開すると図２に示すように外形が矩形を成す一枚のシート状になるものであり、外周囲にスライドファスナー３が縫着されたものである。
スライドファスナー３は、エレメント（務歯）を複数設けた２本のテープ３ａ、３ｂを互いに対向させて互いに噛み合うようにしたものであり、両テープ３ａ、３ｂの境界部分であるエレメント上に設けたスライダーの移動によって当該エレメントの係合・係合解除を行うものである。すなわち、スライドファスナー３を取り付けたタオル片５、６は、エレメントを取り付けた両テープ３ａ、３ｂによって分離・若しくは結合することになる。なお、本実施の形態において使用するスライドファスナー３は、エレメントによって分離および結合する一対のテープ３ａ、３ｂに対して２個のスライダー３ｃ、３ｄを設けたものを用いている。
【００１２】
以下、上記タオルポーチ１の詳細な構造を、製造手順を追いながら説明する。
本実施の形態に係るタオルポーチ１に使用するタオルには、フェイスタオルとして利用される大きさ（幅35cm、全長75cm程度）に製造されたものを用いる。
図３はタオル織機から出力されたタオルの元反１０を示している。当該元反１０にはパイル若しくはパイル先端をカットした長方形状の起毛領域１１（１１ａ、１１ｂ、１１ｃ・・）が複数設けられている。隣り合う起毛領域同士の間には、起毛の無い無起毛部１２が設けられている。当該無起毛部１２を隣り合う起毛領域の中間で裁断すると、図４に示すような起毛領域１１の周囲に余白のような一定幅の縁（１４ａ、１４ｂ、１５ａ、１５ｂ）を設けたタオル素体が形成される。
【００１３】
前述したように、元反１０から切り離されたタオル素体の周囲には、余白のように無起毛の縁１４ａ、１４ｂ、１５ａ、１５ｂが形成されている。そして、これら無起毛の縁は切り口がそのまま露出しているので、織り糸のほつれを防止するために縫製処理が行われる。
長方形状に裁断されたタオル素体の長手方向に沿った両方の縁１４ａ、１４ｂは、一例として所謂ロックミシンと称されるミシンを用いて縫い糸によって端縁を包んで切り口を露出させない処理を行っている。
また長手方向の両端の縁１５ａ、１５ｂは、長手方向側縁の縁１４ａ、１４ｂよりも幅を広く形成しているので端部から折り返して３重に巻き重ね、当該巻き重ねた状態を縫い糸によって固定している。
【００１４】
図５は上記外周囲にほつれ止め処理を行ったタオル２の外観斜視図を表している。
上記のように、タオル２の長手方向に沿った両側縁１４ａ、１４ｂにほつれ止めのロック処理を行うと、縁部の切断面が縫い糸によって巻回するように覆われ（「ふちかがり縫い」等という）当該縁部のほつれが防止される。
また、タオル２の長手方向の端部１５ａ、１５ｂを折り重ねると、折り重ねた布の枚数分縁部の肉厚が増す。本実施の形態では、端部の布を３層に重ねた状態になるので、タオル２の両末端は他の部位と比較して肉厚と剛性が増す。
【００１５】
上記構成のタオル２を使用して、タオルポーチ１を形成する。
図６は、タオルポーチ１の構造を表した分解斜視図である。
タオルポーチ１は、前記タオル２の一方の端片１６を折り返して残余の部分に重ね合わせ、当該重ね合わせて一枚状に形成された矩形のタオル体の外周に、前述した２個のスライダー３ｃ，３ｄを有するスライドファスナー３を設けたものである。
タオル２の長手方向に沿う前記端片１６の長さは、タオル２の全長Ｌ０の１／３よりもやや短く形成されている。すなわち、全長Ｌ０を３等分した長さよりも短く形成されている。この構造により端片１６の先端１７は、端片１６の折り返しによって一枚状に形成された矩形のタオル体の中心Ｃ−Ｃに対して近接するものの、当該中心Ｃ−Ｃには届かない位置に配置されることになる。
【００１６】
前記折り返しによって一枚状にした矩形のタオル体の中心Ｃ−Ｃとは、当該矩形のタオル体を二つ折りにするときの折り曲げ部位４と一致する線であり、スライドファスナー３の中心線１８とも一致する線である。
折り返して重ね合わされた端片１６が、前記中心Ｃ−Ｃに近接しかつ当該中心を超えない位置に配置されるということは、先端１７を含めた前記端片１６が、一枚状に重ね合わたタオル体の中心（Ｃ−Ｃ）である折り曲げ部位４に重ならないということである。
【００１７】
本実施の形態では、前記折り返して重ね合わされた端片１６は、先端１７を除き対向する両側縁部分において縫合される。この際、先端１７は縫合しないので、当該先端１７を開口縁とする袋状の収容空間１９が形成される。
【００１８】
スライドファスナー３は、前記一枚状にした矩形のタオル体の外周に沿ってエレメントが外側を向くように取り付けられる。この際、スライダー３ｃ、３ｄによって分離若しくは結合する両テープ３ａ、３ｂの両末端部分における境界（スライドファスナーの中心１８）は、前記タオル体の中心Ｃ−Ｃと一致するように配置される。
すなわち、前記一枚状にした矩形のタオル体の中心Ｃ−Ｃとスライドファスナーの中心１８を一致させることによって、タオル片５，６を二つ折りに重ねた場合に外周の端縁同士を対向させてスライドファスナー３によって結合できるようになっている。
【００１９】
本実施の形態に係るタオルポーチ１は、タオル片５，６を重ね合わせてスライドファスナー３を閉じると、図１に示すような矩形状の外観を成す。具体的には、横幅Ｗは前記タオル２の横幅と同じであるが、縦方向の長さＬ１は前記タオル２の長手方向長さ（全長）Ｌ０の１／３よりも僅かに長く形成されることになる。
縦方向の長さＬ１が前記タオル２の全長Ｌ０の１／３よりも僅かに長くなるのは、折り返し部である前記端片１６の長さが、タオル２の全長Ｌ０の１／３よりもやや短いからである。また当該タオルポーチ１の厚みは、全体に亘ってタオル２を３枚重ねたものと同じ厚みであり全体に亘って柔軟である。
また、スライドファスナー３上を移動する２個のスライダー３ｃ、３ｄが離間するとエレメントの係合が解除されて分離し（スライドファスナー３が開き）、両スライダー３ｃ、３ｄが近接するとスライドファスナー３が閉じてタオル片５，６によって構成される開口を閉じるようになっている。
【００２０】
また、タオルポーチ１を開いた状態の外観形状は図２に示す通りであり、外形は矩形であって横幅Ｗは前記タオル２の横と等しく、縦方向の長さＬ２は前記タオル２の長手方向の長さＬ０の２／３よりも僅かに長く形成されている。
縦方向の長さＬ２は前記タオル２の全長Ｌ０の２／３よりも僅かに長く形成されている。縦方向の長さＬ２が前記タオル２の全長Ｌ０の２／３よりも僅かに長くなるのは、前述したのと同じく折り返し部の長さがＬ０の１／３よりもやや短いからである。
【００２１】
タオルポーチ１を開くと、中央付近にタオル片６の端縁１７によって形成される開口２０が露出する。当該端縁１７は、タオル２の製造工程においてほつれ防止のために３重に重ねた部位であり全幅に亘って１．５cm程度の幅を有しているが、タオル片６は前述した通り中心Ｃ−Ｃに届かないので中心を覆わないようになっている。
このため、展開したタオルを中心Ｃ−Ｃを中心に折り畳む場合であっても、折りたたみ部位４はタオル生地一枚のみで構成されるので屈曲を妨げることはない。また、折り畳んだ後も当該部位の柔軟性が損なわれたり、かさばることはない。
【００２２】
仮に、折り返えされたタオル片６が前記中心Ｃ−Ｃに重なると、屈曲する部位の厚みが増して柔軟性が低下する。そして、畳んだ後は当該部位の外形が膨らんでかさばることになる。
本実施の形態におけるタオルポーチ１は、１枚のフェイスタオルを裁断することなく、折り返して縫製することで内部に開口２０を有する収容部１９を設けたことを特徴とするものである。さらに、収容部２０を形成するための折り返し片（６）を、展開時の中心Ｃ−Ｃと重ならないようにしたことを特徴とするものである。これらの構造により、本実施の形態におけるタオルポーチ１は、屈曲する部位の厚みを増すことがなく柔軟性の低下を防ぎ、畳んだ後における当該部位の膨らみを防ぐようになっている。
【００２３】
なお、前述したタオルポーチ１は、中心Ｃ−Ｃを境界としたタオル片の一方のみを折り返して収容部を形成しているが、タオル片の双方を折り返しタオル片の双方に収容部を設けてもよい。この際、折り返えすタオル片の先端が中心Ｃ−Ｃを超えないようにすることで、屈曲する部位の厚みを増すことがなく柔軟性の低下を防ぎ、畳んだ後における当該部位の膨らみを防ぐことができるようになっている。
また、タオル片の双方に収容部を設ける場合、その先端位置が重ならないようにすることで、当該部位における厚みの増加を防ぐとともに、大きさの異なる収容部を形成することができるものである。
【産業上の利用可能性】
【００２４】
本発明は、一枚のタオルシートを用いたポーチに利用可能である。
【符号の説明】
【００２５】
１  タオルポーチ
２  フェイスタオル
３  スライドファスナー
４  折り曲げ部位
５，６  タオル片
３ａ、３ｂ  テープ
３ｃ、３ｄ  スライダー
１０  元反
１１（１１ａ、１１ｂ、１１ｃ・・）  起毛領域
１２  無起毛部
１４ａ、１４ｂ縁（側縁）
１５ａ、１５ｂ縁（端部）
１６  端片
１７  先端
１８  中心線
１９  収容空間
２０  開口
【図１】
2015000254.tif 000003
【図２】
2015000254.tif 000004
【図３】
2015000254.tif 000005
【図４】
2015000254.tif 000006
【図５】
2015000254.tif 000007
【図６】
2015000254.tif 000008